(57)【特許請求の範囲】
【請求項１】
１又は複数の駆動対象物を駆動する第一のドライバＩＣ及び第二のドライバＩＣと、該第一のドライバＩＣ及び第二のドライバＩＣを介して前記駆動対象物の駆動態様を制御する制御装置とを備える遊技機にあって、
前記第一のドライバＩＣ及び第二のドライバＩＣは、
ＯＮ信号とＯＦＦ信号を前記駆動対象物へ選択的に出力可能な複数の出力チャネルを有する駆動信号出力部と、
シリアル形式で信号が入力されるシリアル入力部と、
制御信号が入力される制御入力部と、
前記シリアル入力部に入力される前記信号のビットパターンを、入力された順番に、前記出力チャネルと同数のビット数記憶する入力データ一時記憶部と、
前記制御入力部に所定態様の制御信号が入力されると、前記入力データ一時記憶部が記憶する前記ビットパターンを、前記出力チャネルのＯＮ信号とＯＦＦ信号の出力パターンに反映させる駆動信号切替部と
を夫々備えており、
前記制御装置は、所定ビット数のビットパターンからなる駆動パターン信号を、前記第一のドライバＩＣ及び第二のドライバＩＣの前記シリアル入力部に送信するとともに、前記第一のドライバＩＣ及び第二のドライバＩＣの前記制御入力部に、前記所定態様の制御信号を送信することで、前記駆動パターン信号の一部又は全部を、夫々の前記ドライバＩＣの前記駆動信号出力部の出力パターンに反映させるものであり、
さらに、前記制御装置に対して、前記第一のドライバＩＣ及び第二のドライバＩＣがマルチドロップ接続され、前記制御装置から前記第一のドライバＩＣ及び第二のドライバＩＣに、共通の前記駆動パターン信号と前記制御信号が送信されるよう構成されており、
前記第一のドライバＩＣ及び第二のドライバＩＣは、前記駆動信号出力部の一部の出力チャネルのみが、前記駆動対象物に接続される有効出力チャネルであって、残りの出力チャネルは、前記駆動対象物に接続されない無効出力チャネルとなっており、
前記有効出力チャネルと前記無効出力チャネルは、前記駆動パターン信号の所定位置のビットパターンが、前記第一のドライバＩＣの前記無効出力チャネルと、前記第二のドライバＩＣの前記有効出力チャネルの出力パターンに反映され、また、前記駆動パターン信号の、前記所定位置とは異なる位置の一部又は全部のビットパターンが、前記第一のドライバＩＣの前記有効出力チャネルと、前記第二のドライバＩＣの前記無効出力チャネルの出力パターンに反映されるように設けられていることを特徴とする遊技機。
【請求項２】
前記有効出力チャネルと前記無効出力チャネルは、前記駆動パターン信号のビットパターンの全てが、前記第一のドライバＩＣと前記第二のドライバＩＣの、少なくともいずれかの前記有効出力チャネルの出力パターンに反映されるように設けられていることを特徴とする請求項１に記載の遊技機。
【発明の詳細な説明】
【技術分野】
【０００１】
本発明は、駆動対象物を駆動する複数のドライバＩＣと、該ドライバＩＣを介して駆動対象物の駆動態様を制御する制御装置とを備える遊技機に関する。
【背景技術】
【０００２】
スロットマシン等の遊技機は、ＬＥＤ（発光ダイオード）などの駆動対象物を駆動するための集積回路としてドライバＩＣを複数備えている。こうしたドライバＩＣは、ＯＮ信号とＯＦＦ信号とを選択的に出力可能な出力チャネルを複数備えており、制御装置から受信する駆動パターンを、各出力チャネルのＯＮ／ＯＦＦ信号の出力パターンに反映させることにより、制御装置の決定した駆動パターンで駆動対象物を駆動させるよう構成されている。具体的には、かかるドライバＩＣは、特許文献１に記載のＬＥＤドライバのように、制御装置（演出制御基板）から入力される駆動パターン（点灯パターン）を、シフトレジスタに一時的に記憶し、所定契機でシフトレジスタに記憶された駆動パターンを、出力チャネル（出力端子）の出力パターンに反映させるよう構成されている。
【０００３】
ここで、特許文献１では、複数のＬＥＤドライバ３１を、制御装置に対してカスケード接続する構成を採用している。このように、ＬＥＤドライバをカスケード接続した構成では、ＬＥＤドライバを接続する制御装置側の端子数を抑えつつ、各ＬＥＤドライバの出力チャネルの出力パターンを、ＬＥＤドライバ毎に相違させることができる。また、制御装置は、複数のＬＥＤドライバに対して、駆動パターンを一つの端子から一度に送信可能となるため、ＬＥＤドライバの出力パターンを比較的容易に制御できるという利点もある。
【先行技術文献】
【特許文献】
【０００４】
【特許文献１】特開２００９−０７２２８９号公報  図６，７
【発明の概要】
【発明が解決しようとする課題】
【０００５】
ところで、上記特許文献１では、各ＬＥＤドライバ３１は、１６の出力チャネルの全てにＬＥＤを接続することで、１６個のＬＥＤを駆動可能であるように記載されている。しかしながら、実際の遊技機では、ＬＥＤドライバの一部の出力チャネルにしかＬＥＤが接続されておらず、残りの出力チャネルはＬＥＤが接続されない無効な出力チャネルとなっている。遊技機では、盛大な演出を行うために高出力の駆動対象物を採用しているため、一般的なＬＥＤドライバの全ての出力チャネルにＬＥＤを接続すると、消費電力が当該ＬＥＤドライバの許容損失を上回り、ＬＥＤドライバが異常な動作をしたり、破損したりするおそれがあるためである。また、許容損失の大きいＬＥＤドライバの採用は、サイズやコスト面で現実的でない。
【０００６】
このように、既存の遊技機のＬＥＤドライバは、出力チャネルの一部しか有効でないため、ＬＥＤドライバをカスケード接続した構成では、制御装置が出力する駆動パターン（点灯パターン）が無駄となっている。例えば、上記特許文献１では、カスケード接続された４つのＬＥＤドライバ３１の出力パターンを制御するために、制御装置が１６×４ビット（出力チャネルの数×ＬＥＤドライバの数）の駆動パターンを送信しているが、駆動パターンの出力先で実際にＬＥＤの点灯態様に反映されるのは、ＬＥＤが接続された出力チャネルに反映される部分のみであり、無効な出力チャネルに反映される部分は無駄となってしまう。また、このような問題は、ＬＥＤ以外の駆動対象物を駆動する場合にも生じている。
【０００７】
本発明は、かかる現状に鑑みてなされたものであり、上記従来構成に比べて、ＬＥＤなどの駆動対象物を効率的に制御可能な遊技機の提供を目的とする。
【課題を解決するための手段】
【０００８】
本発明は、１又は複数の駆動対象物を駆動する第一のドライバＩＣ及び第二のドライバＩＣと、該第一のドライバＩＣ及び第二のドライバＩＣを介して前記駆動対象物の駆動態様を制御する制御装置とを備える遊技機にあって、前記第一のドライバＩＣ及び第二のドライバＩＣは、ＯＮ信号とＯＦＦ信号を前記駆動対象物へ選択的に出力可能な複数の出力チャネルを有する駆動信号出力部と、シリアル形式で信号が入力されるシリアル入力部と、制御信号が入力される制御入力部と、前記シリアル入力部に入力される前記信号のビットパターンを、入力された順番に、前記出力チャネルと同数のビット数記憶する入力データ一時記憶部と、前記制御入力部に所定態様の制御信号が入力されると、前記入力データ一時記憶部が記憶する前記ビットパターンを、前記出力チャネルのＯＮ信号とＯＦＦ信号の出力パターンに反映させる駆動信号切替部とを夫々備えており、前記制御装置は、所定ビット数のビットパターンからなる駆動パターン信号を、前記第一のドライバＩＣ及び第二のドライバＩＣの前記シリアル入力部に送信するとともに、前記第一のドライバＩＣ及び第二のドライバＩＣの前記制御入力部に、前記所定態様の制御信号を送信することで、前記駆動パターン信号の一部又は全部を、夫々の前記ドライバＩＣの前記駆動信号出力部の出力パターンに反映させるものであり、さらに、前記制御装置に対して、前記第一のドライバＩＣ及び第二のドライバＩＣがマルチドロップ接続され、前記制御装置から前記第一のドライバＩＣ及び第二のドライバＩＣに、共通の前記駆動パターン信号と前記制御信号が送信されるよう構成されており、前記第一のドライバＩＣ及び第二のドライバＩＣは、前記駆動信号出力部の一部の出力チャネルのみが、前記駆動対象物に接続される有効出力チャネルであって、残りの出力チャネルは、前記駆動対象物に接続されない無効出力チャネルとなっており、前記有効出力チャネルと前記無効出力チャネルは、前記駆動パターン信号の所定位置のビットパターンが、前記第一のドライバＩＣの前記無効出力チャネルと、前記第二のドライバＩＣの前記有効出力チャネルの出力パターンに反映され、また、前記駆動パターン信号の、前記所定位置とは異なる位置の一部又は全部のビットパターンが、前記第一のドライバＩＣの前記有効出力チャネルと、前記第二のドライバＩＣの前記無効出力チャネルの出力パターンに反映されるように設けられていることを特徴とする遊技機である。ここで、「制御装置に対してマルチドロップ接続される」とは、制御装置に対して、共通の信号伝送路を介して接続されている接続形態を指す。
【０００９】
かかる構成にあっては、駆動パターン信号のうち、一方のドライバＩＣの無効出力チャネルに反映されるビットパターンが、他方のドライバＩＣの有効出力チャネルの出力パターンに反映される。このため、かかる構成では、各ドライバＩＣの出力チャネルの一部にのみ駆動対象物が接続されていても、駆動パターン信号のビットパターンの多くを駆動対象物の作動に反映させることができ、ドライバＩＣをカスケード接続する構成に比べて、駆動パターン信号の長さを短縮することが可能となる。また、本発明では、制御装置は、夫々のドライバＩＣに対して共通の信号伝送路を介して信号を送信するため、制御装置から各ドライバＩＣに信号を送信する信号伝送路は１組で済む。また、制御装置が夫々のドライバに送信する駆動パターン信号は共通であるため、２つのドライバＩＣに異なる信号を送信する処理も不要である。したがって、本発明によれば、従来構成に比べて、駆動対象物を効率的に制御することが可能となる。
【００１０】
本発明にあって、前記有効出力チャネルと前記無効出力チャネルは、前記駆動パターン信号のビットパターンの全てが、前記第一のドライバＩＣと前記第二のドライバＩＣの、少なくともいずれかの前記有効出力チャネルの出力パターンに反映されるように設けられている構成が提案される。
【００１１】
かかる構成にあっては、駆動パターン信号の全てのビットパターンが、いずれかのドライバＩＣの出力チャネルに反映することとなるため、駆動パターン信号の無駄をなくし、駆動対象物の駆動制御を効率化することが可能となる。
【発明の効果】
【００１２】
以上に述べたように、本発明の遊技機によれば、従来構成に比べて、駆動対象物を効率的に制御することが可能となる。
【図面の簡単な説明】
【００１３】
【図１】実施例１のスロットマシン１の斜視図である。
【図２】演出用ランプ１２ａ〜１２ｄの点灯制御に係るスロットマシン１の制御回路を示すブロック図である。
【図３】右上ＬＥＤドライバ１５ａの回路を示すブロック図である。
【図４】ＬＥＤドライバ１５ａ〜１５ｄの作動態様を示すタイミングチャートである。
【図５】点灯パターン信号ｄ０〜ｄ７に対する、出力チャネルＯＵＴ０〜ＯＵＴ７の出力パターンを示す入出力対応表である。
【図６】右上ＬＥＤドライバ１５ａ及び右下ＬＥＤドライバ１５ｂに係る制御回路を示すブロック図である。
【図７】点灯パターン信号ｄ０〜ｄ７に対する、各ＬＥＤドライバ１５ａ，１５ｂの出力チャネルＯＵＴ０〜ＯＵＴ７の出力パターンを示す入出力対応表である。
【図８】実施例２における、右上ＬＥＤドライバ１５ａ及び右下ＬＥＤドライバ１５ｂに係る制御回路を示すブロック図である。
【図９】実施例２における、点灯パターン信号ｄ０〜ｄ７に対する、各ＬＥＤドライバ１５ａ，１５ｂの出力チャネルＯＵＴ０〜ＯＵＴ７の出力パターンを示す入出力対応表である。
【図１０】実施例３における、右上ＬＥＤドライバ１５ａ及び右下ＬＥＤドライバ１５ｂに係る制御回路を示すブロック図である。
【図１１】実施例３における、点灯パターン信号ｄ０〜ｄ７に対する、各ＬＥＤドライバ１５ａ，１５ｂの出力チャネルＯＵＴ０〜ＯＵＴ７の出力パターンを示す入出力対応表である。
【図１２】実施例４における、右上ＬＥＤドライバ１５ｅ及び右下ＬＥＤドライバ１５ｂに係る制御回路を示すブロック図である。
【図１３】実施例４における、点灯パターン信号ｄ０〜ｄ７に対する、各ＬＥＤドライバ１５ｂ，１５ｅの出力チャネルＯＵＴ０〜ＯＵＴ７の出力パターンを示す入出力対応表である。
【図１４】実施例５における、右上ＬＥＤドライバ１５ａ、右中ＬＥＤドライバ１５ｆ、及び右下ＬＥＤドライバ１５ｂに係る制御回路を示すブロック図である。
【図１５】実施例５における、点灯パターン信号ｄ０〜ｄ７に対する、各ＬＥＤドライバ１５ａ，１５ｂ，１５ｆの出力チャネルＯＵＴ０〜ＯＵＴ７の出力パターンを示す入出力対応表である。
【図１６】実施例６における、各ＬＥＤドライバ１５ａ〜１５ｄに係る制御回路を示すブロック図である。
【図１７】実施例６における、点灯パターン信号ｄ０〜ｄ７に対する、各ＬＥＤドライバ１５ａ〜１５ｄの出力チャネルＯＵＴ０〜ＯＵＴ７の出力パターンを示す入出力対応表である。
【図１８】実施例７における、右上ＬＥＤドライバ１５ａ及び右下ＬＥＤドライバ１５ｂに係る制御回路を示すブロック図である。
【発明を実施するための形態】
【００１４】
本発明をスロットマシンに適用した実施形態を、以下の実施例に従って説明する。
なお、下記実施例にあって、本発明に係る駆動対象物はＬＥＤに相当し、本発明に係る第一のドライバＩＣと第二のドライバＩＣは、右上ＬＥＤドライバ１５ａと右下ＬＥＤドライバ１５ｂに夫々相当する。また、本発明に係る制御装置は、サブ制御装置２１に相当し、本発明に係る駆動パターン信号は、点灯パターン信号に相当する。
【実施例１】
【００１５】
図１に示すように、スロットマシン１の筐体２は前方に開放しており、前方から前扉３によって覆われている。前扉３の中央部には、筐体２の内部に配設された三つのリール９を視認するための視認窓４が設けられる。そして、前扉３の前面側には、視認窓４の下方に、遊技操作に用いるベットスイッチ５ａ，５ｂ、スタートスイッチ６、ストップスイッチ７などの各種スイッチが配設される。また、視認窓４の上方には、演出用の画像を表示する画像表示器１０が配設される。画像表示器１０は、液晶表示装置からなるものであり、前扉３の上部に嵌め込まれている。そして、前扉３の前面両側部には、演出用ランプ１２ａ〜１２ｄが配設される。
【００１６】
演出用ランプ１２ａ〜１２ｄは、前扉３の上部両側に配設される右上演出用ランプ１２ａ及び左上演出用ランプ１２ｃと、前扉３の下部両側に配設される右下演出用ランプ１２ｂと左下演出用ランプ１２ｄとからなる。各演出用ランプ１２ａ〜１２ｄは、ＬＥＤが複数実装されたＬＥＤ基板を、透光性のカバー体で覆ってなるものである。
【００１７】
図２は、演出用ランプ１２ａ〜１２ｄの点灯制御に係る制御回路である。
メイン制御装置２０とサブ制御装置２１は、筐体２の内部に配設される。メイン制御装置２０は、主に遊技に係る制御を実行するものである。一方、サブ制御装置２１は、主に演出に係る制御を実行するものである。本実施例では、各演出用ランプ１２ａ〜１２ｄに配設されたＬＥＤ１６ａ〜１６ｐの点灯／消灯は、サブ制御装置２１よって制御される。具体的には、サブ制御装置２１は、各演出用ランプ１２ａ〜１２ｄを構成するＬＥＤ基板１４ａ〜１４ｄと接続されており、メイン制御装置２０から受信した遊技情報等に基づいて各ＬＥＤ１６ａ〜１６ｐの点灯パターンを決定する。そして、サブ制御装置２１は、所要の点灯パターンで各ＬＥＤ１６ａ〜１６ｐを点灯させるために、各ＬＥＤ基板１４ａ〜１４ｄに配設されたＬＥＤドライバ１５ａ〜１５ｄに対して、点灯パターン信号と制御信号とを送信する。点灯パターン信号は、ＬＥＤ１６ａ〜１６ｐの点灯／消灯パターンをビットパターンによって示すシリアル形式のデータである。
【００１８】
図２に示すように、演出用ランプ１２ａ〜１２ｄを構成する各ＬＥＤ基板１４ａ〜１４ｄには、ＬＥＤドライバ１５ａ〜１５ｄが一つずつ配設される。各ＬＥＤドライバ１５ａ〜１５ｄには、ＬＥＤ１６ａ〜１６ｐが４個ずつ接続されており、各ＬＥＤドライバ１５ａ〜１５ｄは、サブ制御装置２１から送信される点灯パターン信号と制御信号にしたがって、各ＬＥＤ１６ａ〜１６ｐを点灯／消灯させるよう構成されている。
【００１９】
次に、ＬＥＤ基板１４ａ〜１４ｄに配設された各ＬＥＤドライバ１５ａ〜１５ｄの構成について説明する。なお、全てのＬＥＤドライバ１５ａ〜１５ｄは、同じ回路構成のドライバＩＣである。このため、以下では、右上演出用ランプ１２ａの右上ＬＥＤ基板１４ａに配設された右上ＬＥＤドライバ１５ａについて詳述し、その他の演出用ランプ１２ｂ〜１２ｄに配設されたＬＥＤドライバ１５ｂ〜１５ｄに関する説明は省略する。
【００２０】
右上ＬＥＤドライバ１５ａは、ＬＥＤ点灯用の汎用ドライバＩＣである。具体的には、図３に示すように、右上ＬＥＤドライバ１５ａは、ＬＥＤ１６ａ〜１６ｄを接続可能な８つの出力チャネルＯＵＴ０〜ＯＵＴ７を有する出力部３０と、サブ制御装置２１からの信号を受信する入力部３１と、受信した点灯パターン信号を一時的に記憶するシフトレジスタ３２と、該シフトレジスタ３２が記憶する点灯パターン信号のビットパターンを取り込んで、出力チャネルＯＵＴ０〜ＯＵＴ７の出力パターンに反映させる切替回路３３とを備えている。ここで、出力部３０は、本発明に係る駆動信号出力部に相当するものであり、シフトレジスタ３２は、本発明に係る入力データ一時記憶部に相当するものであり、切替回路３２は、本発明に係る駆動信号切替部に相当するものである。
【００２１】
入力部３１は、ＥＮＡＢＬＥと、ＬＡＴＣＨと、ＣＬＯＣＫと、ＳＥＲＩＡＬ＿ＩＮの４つの入力端子からなり、サブ制御装置２１から各入力端子に、Ｈ（ハイ電圧）又はＬ（ロー電圧）のデジタル信号が入力される。これらの入力端子のうち、ＳＥＲＩＡＬ＿ＩＮは、サブ制御装置２１から点灯パターン信号がシリアル形式で入力される入力端子である。一方、ＥＮＡＢＬＥ、ＬＡＴＣＨ、及びＣＬＯＣＫは、サブ制御装置２１から制御信号が入力される入力端子である。すなわち、ＳＥＲＩＡＬ＿ＩＮは、本発明に係るシリアル入力部に相当するものであり、ＥＮＡＢＬＥ、ＬＡＴＣＨ、及びＣＬＯＣＫは、本発明に係る制御入力部に相当するものである。入力部３１には、サブ制御装置２１からイネーブル信号、ラッチ信号、及びクロック信号の３つの制御信号が入力される。イネーブル信号は、出力部３０の出力を、有効状態と無効状態に切り替えるための信号であり、ＥＮＡＢＬＥに入力される。ラッチ信号は、送信した点灯パターン信号を、出力部３０の出力パターンに反映させるための信号であり、ＬＡＴＣＨに入力される。クロック信号は、点灯パターン信号送信時に同期を取るための信号であり、ＣＬＯＣＫに入力される。
【００２２】
シフトレジスタ３２は、ＳＥＲＩＡＬ＿ＩＮに入力される点灯パターン信号を、クロック信号に合わせて１ビットずつ取り込んで、一時的に記憶するものである。具体的には、シフトレジスタ３２は、ＳＥＲＩＡＬ＿ＩＮに入力されるビットパターンの、直近の８ビットを入力された順番に記憶し、記憶した８ビットのビットパターンを、シフトレジスタ３２の出力端子Ｑ０〜Ｑ７から切替回路３３にパラレル形式で出力するよう構成されている。
【００２３】
切替回路３３は、８つのラッチ回路３７によって構成されたレジスタである。各ラッチ回路３７には、シフトレジスタ３２のＱ０〜Ｑ７の出力と、ラッチ信号とが入力されるよう構成されており、ラッチ信号がＨとなると、シフトレジスタ３２がその時点で記憶している８ビットのビットパターンが、各ラッチ回路３７に１ビットずつ取り込まれて記憶保持される。各ラッチ回路３７が取り込んで記憶保持した８ビットのビットパターンは、出力部３０の各出力チャネルＯＵＴ０〜ＯＵＴ７に出力されて、出力チャネルＯＵＴ０〜ＯＵＴ７の出力パターンに反映されることとなる。
【００２４】
出力部３０の各出力チャネルＯＵＴ０〜ＯＵＴ７は、オープンコレクタ方式の出力端子であり、「ＯＮ」のときに出力がロー電圧（Ｌ）となり、「ＯＦＦ」のときには、出力がハイインピーダンスとなる。後述するように、出力チャネルＯＵＴ０〜ＯＵＴ７を、ＬＥＤ１６ａ〜１６ｄのカソード側と接続し、ＬＥＤ１６ａ〜１６ｄのアノード側を電源と接続することで、出力チャネルＯＵＴ０〜ＯＵＴ７の出力に応じて、ＬＥＤ１６ａ〜１６ｄを点灯状態と消灯状態とに切替可能となる。すなわち、本発明に係る出力チャネルのＯＮ信号とＯＦＦ信号は、出力チャネルＯＵＴ０〜ＯＵＴ７のロー電圧出力とハイインピーダンス出力に夫々相当する。各出力チャネルＯＵＴ０〜ＯＵＴ７は、切替回路３３の別々のラッチ回路３７と接続される。そして、接続されたラッチ回路３７の出力ＱがＨであるときに、当該出力チャネルＯＵＴ０〜ＯＵＴ７が「ＯＮ」となり、接続されたラッチ回路３７の出力ＱがＬであるときに、当該出力チャネルＯＵＴ０〜ＯＵＴ７が「ＯＦＦ」となるよう構成される。また、出力部３０にはイネーブル信号が入力されており、イネーブル信号がＬであるときは、切替回路３３の出力Ｑに関わらず、全ての出力チャネルＯＵＴ０〜ＯＵＴ７が「ＯＦＦ」となるよう構成されている。
【００２５】
図４は、サブ制御装置２１が、右上ＬＥＤドライバ１５ａの出力パターンを切り替える際の制御態様を示すタイミングチャートである。
サブ制御装置２１が、右上ＬＥＤドライバ１５ａの出力パターンを切り替える場合は、まず、図４に示すように、８ビットの点灯パターン信号ｄ０〜ｄ７を、クロック信号とともに右上ＬＥＤドライバ１５ａに送信する。これに対して、右上ＬＥＤドライバ１５ａは、送信された点灯パターン信号ｄ０〜ｄ７を、シフトレジスタ３２に１ビットずつ取り込んで記憶する。そして、サブ制御装置２１は、点灯パターン信号ｄ０〜ｄ７を送信した後に、右上ＬＥＤドライバ１５ａへのラッチ信号を一時的にＨに切り替える。これにより、右上ＬＥＤドライバ１５ａでは、点灯パターン信号ｄ０〜ｄ７が、シフトレジスタ３２から切替回路３３に取り込まれ、出力チャネルＯＵＴ０〜ＯＵＴ７のＯＮ／ＯＦＦの出力パターンが、点灯パターン信号ｄ０〜ｄ７のビットパターンを反映したものとなる。なお、図４の例では、イネーブル信号が常時Ｈに制御されているが、ラッチ信号をＨにする時点では、イネーブル信号をＬに制御しておき、その後、イネーブル信号をＨに切り替えた時点で、出力チャネルＯＵＴ０〜ＯＵＴ７の出力パターンが、点灯パターン信号ｄ０〜ｄ７のビットパターンに切り替わるようにしてもよい。
【００２６】
図５は、右上ＬＥＤドライバ１５ａの各出力チャネルＯＵＴ０〜ＯＵＴ７の出力が、点灯パターン信号ｄ０〜ｄ７のビットパターンを反映する態様を示したものである。図５に示すように、右上ＬＥＤドライバ１５ａの各出力チャネルＯＵＴ０〜ＯＵＴ７は、点灯パターン信号ｄ０〜ｄ７の特定位置のビットパターンを反映する。例えば、ＯＵＴ７の出力チャネルの場合は、点灯パターン信号ｄ０〜ｄ７のうち、最初に入力されたビットパターンｄ７を反映する。より具体的には、ＯＵＴ７の出力チャネルは、当該ビットパターンｄ７が「１（Ｈ）」である場合は「ＯＮ」となり、当該ビットパターンｄ７が「０（Ｌ）」である場合は「ＯＦＦ」となる。
【００２７】
このように、本実施例にあっては、サブ制御装置２１は、右上ＬＥＤドライバ１５ａに対して、制御信号と点灯パターン信号を送信することで、点灯パターン信号の８ビットのビットパターンを、右上ＬＥＤドライバ１５ａの８つの出力チャネルＯＵＴ０〜ＯＵＴ７のＯＮ／ＯＦＦの出力パターンに反映させる。また、サブ制御装置２１は、その他の３つのＬＥＤドライバ１５ｂ〜１５ｄに対しても、右上ＬＥＤドライバ１５ａと同様の方式で信号を送信することで、夫々のＬＥＤドライバ１５ｂ〜１５ｄの出力チャネルＯＵＴ０〜ＯＵＴ７の出力パターンを制御する。
【００２８】
本実施例では、図６に示すように、右上ＬＥＤドライバ１５ａと右下ＬＥＤドライバ１５ｂが、サブ制御装置２１にマルチドロップ接続される。すなわち、図７に示すように、右上ＬＥＤドライバ１５ａと右下ＬＥＤドライバ１５ｂは、サブ制御装置２１の共通の出力チャネルに対して並列に接続されて、制御信号と点灯パターン信号を伝送する各信号伝送路を二つのＬＥＤドライバ１５ａ，１５ｂで共有するよう構成されている。かかる構成では、サブ制御装置２１から二つのＬＥＤドライバ１５ａ，１５ｂに対して、信号の送信先を区別することなく、共通の制御信号と点灯パターン信号が同時に送信されるため、同じ回路構成を有する二つのＬＥＤドライバ１５ａ，１５ｂは、サブ制御装置２１からの信号にしたがって、同じ動作を行うこととなる。すなわち、かかる構成では、出力チャネルＯＵＴ０〜ＯＵＴ７の出力パターンが、二つのＬＥＤドライバ１５ａ，１５ｂで同じとなる。
【００２９】
なお、左上ＬＥＤドライバ１５ｃ及び左下ＬＥＤドライバ１５ｄについては、図２に示すように、右上ＬＥＤドライバ１５ａ及び右下ＬＥＤドライバ１５ｂとは別の出力チャネルを介してサブ制御装置２１と接続されており、右上ＬＥＤドライバ１５ａ及び右下ＬＥＤドライバ１５ｂとは独立して制御される。左上ＬＥＤドライバ１５ｃ及び左下ＬＥＤドライバ１５ｄに係る構成は、本発明の要部でないため詳細な説明は省略する。
【００３０】
図６に示すように、ＬＥＤドライバ１５ａ，１５ｂの出力チャネルＯＵＴ０〜ＯＵＴ７に接続されるＬＥＤ１６ａ〜１６ｈは、カソード側が出力チャネルＯＵＴ０〜ＯＵＴ７と接続され、アノード側が電源ＶＣＣと接続される。このため、かかる構成にあっては、ＬＥＤ１６ａ〜１６ｈが接続された出力チャネルＯＵＴ０〜ＯＵＴ７がＯＮであるときに、当該ＬＥＤ１６ａ〜１６ｈに電流が流れて点灯することとなる。
【００３１】
本実施例では、図６に示すように、ＬＥＤドライバ１５ａ，１５ｂの８つの出力チャネルＯＵＴ０〜ＯＵＴ７のうち、４つにしかＬＥＤ１６ａ〜１６ｈが接続されない。本実施例のＬＥＤ１６ａ〜１６ｈは、消費電力の高い高輝度ＬＥＤであるため、全ての出力チャネルＯＵＴ０〜ＯＵＴ７にＬＥＤを接続すると、消費電力がＬＥＤドライバ１５ａ，１５ｂの許容損失を上回ってしまうためである。このため、各ＬＥＤドライバ１５ａ，１５ｂは、８つの出力チャネルＯＵＴ０〜ＯＵＴ７のうち、４つはＯＮ／ＯＦＦのパターンがＬＥＤ１６ａ〜１６ｈの点灯／消灯に反映される有効出力チャネルとなり、また、残りの４つはＯＮ／ＯＦＦパターンがＬＥＤ１６ａ〜１６ｈの点灯／消灯に反映されない無効出力チャネルとなっている。
【００３２】
ここで、本実施例では、二つのＬＥＤドライバ１５ａ，１５ｂに接続する各ＬＥＤ１６ａ〜１６ｈが、点灯パターン信号ｄ０〜ｄ７の異なる位置のビットパターンを反映して点灯／消灯するように、ＬＥＤ１６ａ〜１６ｈを接続する有効出力チャネルＯＵＴ０〜ＯＵＴ７の位置を、二つのＬＥＤドライバ１５ａ，１５ｂで相違させている。具体的には、図６，７に示すように、右上ＬＥＤドライバ１５ａでは、点灯パターン信号の後半４ビット（ｄ０〜ｄ３）のビットパターンを反映するＯＵＴ０〜ＯＵＴ３が有効出力チャネルとなっており、点灯パターン信号の前半４ビット（ｄ４〜ｄ７）のビットパターンを反映するＯＵＴ４〜ＯＵＴ７は無効出力チャネルとなっている。一方、右下ＬＥＤドライバ１５ｂでは、点灯パターン信号の後半４ビット（ｄ０〜ｄ３）のビットパターンを反映するＯＵＴ０〜ＯＵＴ３が無効出力チャネルとなっており、点灯パターン信号の前半４ビット（ｄ４〜ｄ７）のビットパターンを反映するＯＵＴ４〜ＯＵＴ７が有効出力チャネルとなっている。
【００３３】
このため、かかる構成にあっては、図７に示すように、点灯パターン信号の前半４ビットのビットパターンｄ４〜ｄ７は、右上ＬＥＤドライバ１５ａの無効出力チャネルＯＵＴ４〜ＯＵＴ７と、右下ＬＥＤドライバ１５ｂの有効出力チャネルＯＵＴ４〜ＯＵＴ７に反映され、また、点灯パターン信号の後半４ビットのビットパターンｄ０〜ｄ３は、右上ＬＥＤドライバ１５ａの有効出力チャネルＯＵＴ０〜ＯＵＴ３と、右下ＬＥＤドライバ１５ｂの無効出力チャネルＯＵＴ０〜ＯＵＴ３に反映されることとなる。
【００３４】
このように、本実施例では、点灯パターン信号ｄ０〜ｄ７のビットパターンの半数が、各ＬＥＤドライバ１５ａ，１５ｂの無効出力チャネルＯＵＴ０〜ＯＵＴ７の出力に反映されるが、一方のＬＥＤドライバ１５ａ，１５ｂの無効出力チャネルＯＵＴ０〜ＯＵＴ７に反映されるビットパターンは、他方のＬＥＤドライバ１５ａ，１５ｂの有効出力チャネルに反映されて、ＬＥＤ１６ａ〜１６ｈの点灯／消灯パターンに反映されるよう構成されているため、点灯パターン信号ｄ０〜ｄ７のビットパターンの大部分をＬＥＤ１６ａ〜１６ｈの点灯／消灯パターンに反映させることができる。したがって、本実施例では、ＬＥＤドライバ（ドライバＩＣ）をカスケード接続する従来構成に比べて、少ないビット数の点灯パターン信号で、多くのＬＥＤの点灯を制御することができ、これにより、ＬＥＤの点灯制御を効率化できるという利点がある。
【００３５】
特に、本実施例では、右上ＬＥＤドライバ１５ａの無効出力チャネルＯＵＴ４〜ＯＵＴ７に反映される点灯パターン信号ｄ４〜ｄ７の全てが、左下ＬＥＤドライバの有効出力チャネルＯＵＴ４〜ＯＵＴ７に反映され、かつ、右下ＬＥＤドライバ１５ｂの無効出力チャネルＯＵＴ０〜ＯＵＴ３に反映される点灯パターン信号ｄ０〜ｄ３の全てが、右上ＬＥＤドライバ１５ａの有効出力チャネルＯＵＴ０〜ＯＵＴ３に反映されるようにＬＥＤ１６ａ〜１６ｈを接続している。このため、本実施例では、８ビットの点灯パターン信号ｄ０〜ｄ７を、１ビットの無駄もなく、８個のＬＥＤ１６ａ〜１６ｈの点灯／消灯パターンに反映させることができるという利点がある。
【００３６】
また、本実施例では、二つのＬＥＤドライバ１５ａ，１５ｂが、サブ制御装置２１に対してマルチドロップ接続されているため、サブ制御装置２１とＬＥＤドライバ１５ａ，１５ｂの間の信号伝送路数を低減することができる。また、サブ制御装置２１が、二つのＬＥＤドライバ１５ａ，１５ｂに共通の信号を送信するため、ＬＥＤドライバ１５ａ，１５ｂ毎に信号を送信する処理も不要となる。したがって、本実施例にあっては、かかる点でも、ＬＥＤの点灯制御を効率化することが可能となる。
【００３７】
以下に、上記実施例１の構成を変更した実施例２〜７について説明する。なお、以下の実施例の説明では、実施例１と共通する構成については、本文及び図中で共通符号を付して説明を省略している。
【実施例２】
【００３８】
本実施例は、実施例１（図７参照）からＬＥＤの接続態様を変更したものである。具体的には、本実施例では、図８に示すように、右上ＬＥＤドライバ１５ａのＯＵＴ４の出力チャネルに５個目のＬＥＤ１６ｑが接続されて、図９に示すように、二つのＬＥＤドライバ１５ａ，１５ｂのＯＵＴ４の出力チャネルが有効出力チャネルとなる。このため、本実施例では、点灯パターン信号ｄ０〜ｄ７の最後から５ビット目のビットパターンｄ４が、両方のＬＥＤドライバ１５ａ，１５ｂの有効出力チャネルＯＵＴ４の出力に反映されて、当該二つの有効出力チャネルにＯＵＴ４に接続された二つのＬＥＤ１６ｅ，１６ｑが同じ態様で点灯することとなる。このように、本発明では、駆動パターン信号（点灯パターン信号）の一部のビットパターンが、両方のＬＥＤドライバ（ドライバＩＣ）の有効出力チャネルの出力に反映されるよう構成することもできる。
【実施例３】
【００３９】
本実施例は、実施例１（図７参照）からＬＥＤの接続態様を変更したものである。具体的には、本実施例では、図１０に示すように、右上ＬＥＤドライバ１５ａのＯＵＴ３の出力チャネルは、ＬＥＤが接続されない無効出力チャネルとなっている。かかる構成にあっては、図１１に示すように、点灯パターン信号ｄ０〜ｄ７の最後から４ビット目のビットパターンｄ３が、両方のＬＥＤドライバ１５ａ，１５ｂの無効出力チャネルＯＵＴ３の出力に反映されることとなり、点灯パターン信号ｄ０〜ｄ７の一部のビットパターンｄ３は、ＬＥＤの点灯態様に反映されなくなる。このように、本発明では、駆動パターン信号（点灯パターン信号）の一部のビットパターンが、両方のＬＥＤドライバ（ドライバＩＣ）の無効出力チャネルの出力に反映されるよう構成することもできる。
【実施例４】
【００４０】
本実施例は、右上ＬＥＤドライバの出力チャネル数を、上記実施例１から変更したものである。具体的には、本実施例では、図１２に示すように、右上ＬＥＤドライバ１５ｅは、出力チャネルＯＵＴ０〜ＯＵＴ３を４つしか具備していない。かかる右上ＬＥＤドライバ１５ｅでは、８ビットの点灯パターン信号ｄ０〜ｄ７のうち、前半４ビット（ｄ４〜ｄ７）のビットパターンは失われ、後半４ビット（ｄ０〜ｄ３）のビットパターンが、出力チャネルＯＵＴ０〜ＯＵＴ３の出力パターンに反映されることとなる。なお、本実施例に係る右上ＬＥＤドライバ１５ｅは、出力チャネル数以外の構成は、実施例１の右上ＬＥＤドライバ１５ａと同じである。
【００４１】
本実施例に係る右上ＬＥＤドライバ１５ｅについても、許容損失による制限があるため、４つの出力チャネルＯＵＴ０〜ＯＵＴ３のうち、二つの出力チャネルＯＵＴ０，ＯＵＴ１にのみＬＥＤ１６ａ，１６ｂが接続され、残り二つの出力チャネルＯＵＴ２，ＯＵＴ３が無効出力チャネルとなっている。一方、右下ＬＥＤドライバ１５ｂについては、８つの出力チャネルＯＵＴ０〜ＯＵＴ７のうち、六つの出力チャネルＯＵＴ２〜ＯＵＴ７の出力チャネルが、ＬＥＤ１６ｃ〜１６ｈと接続された有効出力チャネルとなっている。
【００４２】
かかる構成にあっては、図１３に示すように、点灯パターン信号ｄ０〜ｄ７の後半２ビットのビットパターン（ｄ０，ｄ１）が、右上ＬＥＤドライバ１５ａの有効出力チャネルＯＵＴ０，ＯＵＴ１と、右下ＬＥＤドライバ１５ｂの無効出力チャネルＯＵＴ０，ＯＵＴ１の出力に反映される。また、点灯パターン信号ｄ０〜ｄ７の後半６ビットのビットパターン（ｄ２〜ｄ７）は、右上ＬＥＤドライバ１５ａの無効出力チャネルＯＵＴ２，３と、右下ＬＥＤドライバ１５ｂの有効出力チャネルＯＵＴ２〜ＯＵＴ７の出力に反映される。このため、本実施例にあっても、点灯パターン信号ｄ０〜ｄ７のビットパターンの全てが、ＬＥＤ１６ａ〜１６ｈの点灯／消灯パターンに反映されることとなる。このように、本発明に係る第一のドライバＩＣ（右上ＬＥＤドライバ）と、第二のドライバＩＣ（右下ＬＥＤドライバ）は、完全に同一の回路構成である必要はなく、出力チャネルの数が相違していても構わない。
【実施例５】
【００４３】
本実施例は、実施例１の右上ＬＥＤドライバ１５ａと右下ＬＥＤドライバ１５ｂに加えて、右中ＬＥＤドライバ１５ｆを配設したものである。具体的には、本実施例では、図１４に示すように、３つのＬＥＤドライバ１５ａ，１５ｂ，１５ｆが、サブ制御装置２１に対してマルチドロップ接続されて、３つのＬＥＤドライバ１５ａ，１５ｂ，１５ｆに対して、サブ制御装置２１の共通の出力チャネルから、共通の制御信号と点灯パターン信号が同時に送信されるよう構成されている。右中ＬＥＤドライバ１５ｆは、右上ＬＥＤドライバ１５ａ及び右下ＬＥＤドライバ１５ｂと同じ回路構成のドライバＩＣである。かかる構成によれば、サブ制御装置２１からの共通の信号によって、３つのＬＥＤドライバ１５ａ，１５ｂ，１５ｆが同じ動作を行うこととなり、出力チャネルＯＵＴ０〜ＯＵＴ７の出力パターンは、３つのＬＥＤドライバ１５ａ，１５ｂ，１５ｆで同じとなる。
【００４４】
本実施例では、３つのＬＥＤドライバ１５ａ，１５ｂ，１５ｆに接続する各ＬＥＤ１６ａ〜１６ｈが、点灯パターン信号ｄ０〜ｄ７の異なる位置のビットパターンを反映して点灯／消灯するように、有効出力チャネルＯＵＴ０〜ＯＵＴ７の位置を、３つのＬＥＤドライバ１５ａ，１５ｂ，１５ｆで相違させている。具体的には、図１４に示すように、右上ＬＥＤドライバ１５ａは、４つの出力チャネルＯＵＴ０〜ＯＵＴ３が有効出力チャネルとされ、右中ＬＥＤドライバ１５ｆは、２つの出力チャネルＯＵＴ４，ＯＵＴ５が有効出力チャネルとされ、右下ＬＥＤドライバ１５ｂは、２つの出力チャネルＯＵＴ６，７が有効出力チャネルとされる。
【００４５】
かかる構成によれば、図１５に示すように、点灯パターン信号ｄ０〜ｄ７のうち、後半４ビットのビットパターン（ｄ０〜ｄ３）は、右上ＬＥＤドライバ１５ａの有効出力チャネルＯＵＴ０〜ＯＵＴ３の出力に反映され、中間２ビットのビットパターン（ｄ４，ｄ５）が、右中ＬＥＤドライバ１５ｆの有効出力チャネルＯＵＴ４，ＯＵＴ５に反映され、前半２ビットのビットパターン（ｄ６，ｄ７）は、右下ＬＥＤドライバ１５ｂの有効出力チャネルＯＵＴ６，ＯＵＴ７に反映される。したがって、本実施例にあっても、各ＬＥＤドライバ１５ａ，１５ｂ，１５ｆに接続されたＬＥＤ１６ａ〜１６ｈの点灯／消灯パターンを個別に制御することができ、なおかつ、点灯パターン信号ｄ０〜ｄ７のビットパターンの全てをＬＥＤ１６ａ〜１６ｈの点灯／消灯パターンに反映させることができる。このように、本発明では、第一のドライバＩＣ（右上ＬＥＤドライバ）及び第二のドライバＩＣ（右下ＬＥＤドライバ）に加えて、これらのドライバＩＣとは異なる態様で駆動対象物を駆動する第三、第四のドライバＩＣを、制御装置（サブ制御装置２１）に対してマルチドロップ接続することが可能である。
【実施例６】
【００４６】
本実施例は、実施例１の右上ＬＥＤドライバ１５ａと右下ＬＥＤドライバ１５ｂに加えて、左上ＬＥＤドライバ１５ｃ及び左下ＬＥＤドライバ１５ｄを、サブ制御装置２１の共通する出力チャネルにマルチドロップ接続したものである。具体的には、本実施例では、図１６に示すように、右上ＬＥＤドライバ１５ａと左上ＬＥＤドライバ１５ｃは、ＯＵＴ０〜ＯＵＴ３の４つの出力チャネルが有効出力チャネルとなっており、右下ＬＥＤドライバ１５ｂと左下ＬＥＤドライバ１５ｄは、ＯＵＴ４〜ＯＵＴ７の４つの出力チャネルが有効出力チャネルとなっている。かかる構成によれば、図１７に示すように、点灯パターン信号の後半４ビットのビットパターン（ｄ０〜ｄ３）が、右上ＬＥＤドライバ１５ａと左上ＬＥＤドライバ１５ｃの有効出力チャネルＯＵＴ０〜ＯＵＴ３の出力に反映され、点灯パターン信号の前半４ビットのビットパターン（ｄ４〜ｄ７）が、右下ＬＥＤドライバ１５ｂと左下ＬＥＤドライバ１５ｄでの有効出力チャネルＯＵＴ４〜ＯＵＴ７の出力に反映される。このため、かかる構成では、右側のＬＥＤドライバ１５ａ，１５ｂに接続されたＬＥＤ１６ａ〜１６ｈと、左側のＬＥＤドライバ１５ｃ，１５ｄに接続されたＬＥＤ１６ｉ〜１６ｐとを、左右対称に点灯させることができる。このように、本発明にあっては、第一のドライバＩＣ（右上ＬＥＤドライバ）及び第二のドライバＩＣ（右下ＬＥＤドライバ）に加えて、これらのドライバＩＣと同じ態様で駆動対象物を駆動する、第三、第四のドライバＩＣを、制御装置（サブ制御装置２１）に対してマルチドロップ接続することが可能である。
【実施例７】
【００４７】
本実施例は、図１８に示すように、右上ＬＥＤドライバ１５ａと右下ＬＥＤドライバ１５ｂの二つによって、４行４列のマトリクス状に配置された１６個のＬＥＤ１６を点灯させるものである。具体的には、右上ＬＥＤドライバ１５ａの有効出力チャネルＯＵＴ０〜ＯＵＴ３は、トランジスタ３９を介して、異なる列のＬＥＤ１６のアノードに接続されており、有効出力チャネルＯＵＴ０〜ＯＵＴ３がＯＮとなると、当該有効出力チャネルＯＵＴ０〜ＯＵＴ３が接続されたＬＥＤ１６のアノードがハイ電圧となるよう構成される。一方、右下ＬＥＤドライバ１５ｂの有効出力チャネルＯＵＴ４〜ＯＵＴ７は、異なる行のＬＥＤ１６のカソード側に接続されており、有効出力チャネルＯＵＴ４〜ＯＵＴ７がＯＮとなると、当該有効出力チャネルＯＵＴ４〜ＯＵＴ７が接続されたＬＥＤ１６のカソードがロー電圧となるよう構成される。
【００４８】
かかる構成にあっては、右上ＬＥＤドライバ１５ａによって、アノードをハイ電圧に制御し、かつ、右下ＬＥＤドライバ１５ｂによって、カソードをロー電圧に制御したＬＥＤ１６にのみ電流を流して、当該ＬＥＤ１６を選択的に点灯させることができる。例えば、右上ＬＥＤドライバ１５ａのＯＵＴ０と、右下ＬＥＤドライバ１５ｂのＯＵＴ７の出力チャネルのみをＯＮにした場合には、図１８中の右下のＬＥＤ１６のみを選択的に点灯させることができる。このように、本発明にあっては、一つの出力チャネルに複数の駆動対象物（ＬＥＤ）を接続するようにしてもよい。また、本発明に係る第一のドライバＩＣ及び第二のドライバＩＣで、共通の駆動対象物を駆動するようにしてもよい。
【００４９】
なお、本発明の遊技機は、上記実施例の形態に限らず本発明の要旨を逸脱しない範囲内において種々変更を加えることができる。例えば、上記実施例は、本発明をスロットマシンに適用したものであるが、本発明は、スロットマシンに限らずパチンコ機などの遊技機にも適用可能である。
【００５０】
また、上記実施例では、右上ＬＥＤドライバ１５ａと右下ＬＥＤドライバ１５ｂが、本発明に係る第一のドライバＩＣと第二のドライバＩＣに対応しているが、本発明の構成は、遊技機に配設される様々なドライバＩＣに適用可能である。また、本発明に係る第一ドライバＩＣ及び第二ドライバＩＣは、ＬＥＤを駆動対象物にするものに限られず、ステッピングモータやソレノイド、白熱電球などを駆動対象物とするものであってもよい。
【００５１】
また、上記実施例では、制御装置（サブ制御装置２１）とドライバＩＣ（ＬＥＤドライバ）とを直接接続した構成となっているが、制御装置とドライバＩＣの間に、中継基板を介在させるようにしてもよい。
【符号の説明】
【００５２】
１  スロットマシン（遊技機）
１２ａ〜１２ｄ  演出用ランプ
１４ａ〜１４ｄ  ＬＥＤ基板
１５ａ，１５ｅ  右上ＬＥＤドライバ（第一のドライバＩＣ）
１５ｂ  右下ＬＥＤドライバ（第二のドライバＩＣ）
１５ｃ  左上ＬＥＤドライバ
１５ｄ  左下ＬＥＤドライバ
１５ｆ  右中ＬＥＤドライバ
１６，１６ａ〜１６ｑ  ＬＥＤ（駆動対象物）
２０  メイン制御装置
２１  サブ制御装置（制御装置）
３０  出力部（駆動信号出力部）
３１  入力部
３２  シフトレジスタ（入力データ一時記憶部）
３３  切替回路（駆動信号切替部）
３７  ラッチ回路
３９  トランジスタ
ＯＵＴ１〜ＯＵＴ７  出力チャネル
【要約】
【課題】駆動対象物を効率的に制御可能な遊技機を提供する。
【解決手段】二つのドライバＩＣ１５ａ，１５ｂを制御装置２１に対してマルチドロップ接続して、制御装置２１から二つのドライバＩＣ１５ａ，１５ｂに、共通の駆動パターン信号と制御信号が送信されるよう構成する。さらに、各ドライバＩＣ１５ａ，１５ｂの一部の出力チャネルＯＵＴ０〜ＯＵＴ７を、駆動対象物ＬＥＤ１６ａ〜１６ｈに接続されない無効出力チャネルとし、駆動パターン信号の所定位置のビットパターンが、一方のドライバＩＣ１５ａの無効出力チャネルと、他方のドライバＩＣ１５ｂの有効出力チャネルの出力に反映され、別の位置のビットパターンが、一方のドライバＩＣ１５ａの有効出力チャネルと、他方のドライバＩＣ１５ｂの無効出力チャネルの出力に反映されるようにする。
【選択図】図６【図１】
0005847972.tif 000002
【図２】
0005847972.tif 000003
【図３】
0005847972.tif 000004
【図４】
0005847972.tif 000005
【図５】
0005847972.tif 000006
【図６】
0005847972.tif 000007
【図７】
0005847972.tif 000008
【図８】
0005847972.tif 000009
【図９】
0005847972.tif 000010
【図１０】
0005847972.tif 000011
【図１１】
0005847972.tif 000012
【図１２】
0005847972.tif 000013
【図１３】
0005847972.tif 000014
【図１４】
0005847972.tif 000015
【図１５】
0005847972.tif 000016
【図１６】
0005847972.tif 000017
【図１７】
0005847972.tif 000018
【図１８】
0005847972.tif 000019